(57)【要約】【課題】画素の開口率が向上すると同時に、画素間のギャップが効率的に設定された、有機発光表示装置の画素配列構造を提供する。【解決手段】画素配列構造は、複数の第１画素は第１軸（第１軸に対して垂直である第２軸）の方向に沿って配列されて複数の第１画素行（第１画素列）を形成し、第２画素及び第３画素は複数の第１画素行（第１画素列）に平行な第１軸（第２軸）の方向に沿って交互に配置されて複数の第２画素及び第３画素行（第２画素及び第３画素列）を形成し、複数の第１画素行（第１画素列）と複数の第２画素及び第３画素行（第２画素及び第３画素列）とは交互に配置され、第１軸の方向に沿って互いに隣接する２つの第１画素をそれぞれ含む２つの第１画素列の間には、１つの第２画素及び第３画素列のみが配置され、第１画素は第２画素および第３画素よりも小さい面積を有する。【選択図】図１
2020205260.tif 000002
【特許請求の範囲】
【請求項１】
複数の第１画素、複数の第２画素、および複数の第３画素を含む有機発光表示装置の画素配列構造であって、
前記第１画素、前記第２画素、および前記第３画素は互いに異なる色の光を発光し、
前記複数の第１画素は第１軸の方向に沿って配列されて複数の第１画素行を形成し、前記第２画素及び前記第３画素は前記複数の第１画素行に平行な前記第１軸の方向に沿って交互に配置されて複数の第２画素及び第３画素行を形成し、前記複数の第１画素行と前記複数の第２画素及び第３画素行とは交互に配置され、
前記複数の第１画素は前記第１軸に対して垂直である第２軸の方向に沿って配列されて複数の第１画素列を形成し、前記第２画素及び前記第３画素は前記複数の第１画素列に平行な前記第２軸の方向に沿って交互に配置されて複数の第２画素及び第３画素列を形成し、前記複数の第１画素列と前記複数の第２画素及び第３画素列とは交互に配置され、
前記第１軸の方向に沿って互いに隣接する２つの第１画素をそれぞれ含む２つの前記第１画素列の間には、１つの前記第２画素及び第３画素列のみが配置され、
前記複数の第１画素、第２画素、および第３画素はそれぞれイメージを表示する最小単位であって、前記第１画素は前記第２画素および前記第３画素よりも小さい面積を有する有機発光表示装置の画素配列構造。
【請求項２】
前記複数の第１画素のうち互いに隣接する４つの第１画素がなす仮想の四角形内には１つの第２画素または１つの第３画素のみを含む請求項１に記載の有機発光表示装置の画素配列構造。
【請求項３】
前記第１画素、前記第２画素および前記第３画素のそれぞれは緑色、青色および赤色のそれぞれの光を発光する、請求項１に記載の有機発光表示装置の画素配列構造。
【請求項４】
前記第２画素は前記第３画素よりも大きい面積を有する、請求項１に記載の有機発光表示装置の画素配列構造。
【請求項５】
隣接する前記第１画素の中心間距離は、
隣接する前記第１画素と前記第２画素の中心間距離及び隣接する前記第１画素と前記第３画素の中心間距離よりも大きい、請求項１に記載の有機発光表示装置の画素配列構造。
【請求項６】
前記複数の第１画素、第２画素および第３画素のそれぞれは多角形状を有する、請求項１に記載の有機発光表示装置の画素配列構造。
【請求項７】
前記複数の第１画素は四角形状を有する、請求項６に記載の有機発光表示装置の画素配列構造。
【請求項８】
前記複数の第１画素は互いに同一の四角形状を有する、請求項７に記載の有機発光表示装置の画素配列構造。
【請求項９】
前記複数の第１画素のうちの隣接した第１画素のそれぞれは互いに対称の四角形状を有する、請求項７に記載の有機発光表示装置の画素配列構造。
【請求項１０】
前記複数の第２画素および第３画素のそれぞれは八角形状を有する、請求項６に記載の有機発光表示装置の画素配列構造。
【請求項１１】
前記複数の第２画素は互いに同一の八角形状を有する、請求項１０に記載の有機発光表示装置の画素配列構造。
【請求項１２】
前記複数の第３画素は互いに同一の八角形状を有する、請求項１０に記載の有機発光表示装置の画素配列構造。
【請求項１３】
前記第１軸及び前記第２軸と交差する対角線方向に配置される全ての画素は、前記第１画素と前記第２画素が交互に配置されるか、または前記第１画素と前記第３画素が交互に配置される、請求項１に記載の有機発光表示装置の画素配列構造。
【請求項１４】
前記複数の第１画素が第１軸に平行な方向の最大幅を有し、
前記最大幅に対応する列方向の領域は、前記第２画素及び前記第３画素と重畳しない、請求項１に記載の有機発光表示装置の画素配列構造。
【発明の詳細な説明】
【技術分野】
【０００１】
本発明は、有機発光表示装置の画素配列構造に関し、より詳しくは、複数の画素が発光してイメージ（ｉｍａｇｅ）を表示する有機発光表示装置の画素配列構造に関する。
【背景技術】
【０００２】
表示装置はイメージを表示する装置であって、最近、有機発光表示装置（ｏｒｇａｎｉｃ  ｌｉｇｈｔ  ｅｍｉｔｔｉｎｇ  ｄｉｏｄｅ  ｄｉｓｐｌａｙ）が注目されていている。
有機発光表示装置は、自体発光特性を有し、液晶表示装置（ｌｉｑｕｉｄ  ｃｒｙｓｔａｌ  ｄｉｓｐｌａｙ  ｄｅｖｉｃｅ）とは異なって別途の光源を要しないので、厚さと重量を減らすことができる。また、有機発光表示装置は低い消費電力、高い輝度、及び高い反応速度などの高品位特性を示す。
【０００３】
一般に、有機発光表示装置は、それぞれが互いに異なる色の光を発光する複数の画素を含み、この複数の画素らが発光してイメージを表示する。
ここで、画素とは、イメージを表示する最小単位を意味し、隣接する画素の間には各画素を駆動するためのゲートライン、データライン、駆動電源ラインなどの電源ライン、及び各画素の面積または形態などを定義するための画素定義膜などの絶縁層などを配置することができる。
【０００４】
従来の有機発光表示装置の画素を構成する有機発光層は、ファインメタルマスク（ｆｉｎｅ  ｍｅｔａｌ  ｍａｓｋ、ＦＭＭ）などのマスクを利用して蒸着形成したが、画素の開口率の確保のために隣接する画素間のギャップ（ｇａｐ）を短く形成する場合、蒸着信頼度が低下する問題点があり、蒸着信頼度向上のために画素間のギャップを遠く形成する場合には、画素の開口率が低下する問題点があった。
【発明の概要】
【発明が解決しようとする課題】
【０００５】
本発明の一実施形態は上記の問題点に鑑みてなされたものであって、本発明の目的は、画素の開口率が向上すると同時に、画素間のギャップが効率的に設定された、有機発光表示装置の画素配列構造を提供することにある。
【課題を解決するための手段】
【０００６】
上述した技術的課題を達成するための本発明の一側面は、有機発光表示装置の画素配列構造において、第１画素と、前記第１画素と離隔しており、前記第１画素の中心点を正四角形の中心点とする仮想の正四角形の第１頂点に中心点が位置する第２画素と、前記第２画素と離隔しており、前記仮想の正四角形の前記第１頂点と隣接する第２頂点に中心点が位置する第３画素とを含み、前記第１画素、前記第２画素、及び前記第３画素それぞれは多角形状を有する有機発光表示装置の画素配列構造を提供する。
【０００７】
前記第２画素は複数であり、前記複数の第２画素は前記第１画素を介在して相互離隔することができる。
前記第３画素は複数であり、前記複数の第３画素は前記第１画素を介在して相互離隔することができる。
前記第２画素は複数であり、前記第３画素は複数であり、前記複数の第２画素及び前記複数の第３画素それぞれは前記仮想の正四角形上で前記第１画素を取り囲むことができる。
【０００８】
前記第２画素及び前記第３画素は前記第１画素に比べて大きい面積を有することができる。
前記第１画素は八角形状を有し、前記第２画素及び前記第３画素のいずれか一つ以上は八角形状を有することができる。
前記第１画素は八角形状を有し、前記第２画素及び前記第３画素のいずれか一つは六角形状を有し、他の一つは四角形状を有することができる。
【０００９】
前記第１画素は複数であり、前記複数の第１画素のうちの隣接する第１画素それぞれは互いに対称の八角形状を有することができる。
前記第２画素は前記第３画素に比べて大きい面積を有することができる。
前記第１画素と前記第２画素の間の距離、及び前記第１画素と前記第３画素の間の距離それぞれは、同一の第１長さを有することができる。
【００１０】
前記第２画素と前記第３画素の間の距離は第２長さを有し、隣接する前記第１画素の間の距離は、前記第１長さ及び前記第２長さそれぞれに比べて長い第３長さを有することができる。
前記第１画素、前記第２画素、及び前記第３画素それぞれは、互いに異なる色の光を発光することができる。
【００１１】
前記第１画素は緑色の光を発光し、前記第２画素及び前記第３画素のいずれか一つは青色の光を発光し、他の一つは赤色の光を発光することができる。
【発明の効果】
【００１２】
上述した本発明の解決手段の一部の実施形態のいずれか一つによれば、画素の開口率が向上すると同時に、画素間のギャップが効率的に設定された有機発光表示装置の画素配列構造が提供される。
【図面の簡単な説明】
【００１３】
【図１】本発明の一実施形態に係る有機発光表示装置の画素配列構造を示す図面である。
【発明を実施するための形態】
【００１４】
以下、添付した図面を参照して、本発明の種々の実施形態について本発明が属する技術分野における通常の知識を有する者が容易に実施できるように詳細に説明する。本発明は種々の異なる形態に実現でき、ここで説明する実施形態に限られない。
本発明を明確に説明するために説明上不必要な部分は省略し、明細書の全体にわたって同一または類似する構成要素に対しては同一の参照符号を付けた。
【００１５】
また、図面において、各構成の大きさ及び厚さは、説明の便宜のために任意に示したもので、本発明が必ずしも示されたものに限られることではない。
また、明細書の全体において、ある部分がある構成要素を「含む」という時、これは特に反対の記載がない限り、他の構成要素を除くことではなく、他の構成要素をさらに含むことができるのを意味する。
【００１６】
以下、図１を参照して、本発明の一実施形態に係る有機発光表示装置の画素配列構造について説明する。図１は、有機発光表示装置を構成する画素の一部分を概略的に示す図面である。
図１は、本発明の一実施形態に係る有機発光表示装置の画素配列構造を示す図面である。
【００１７】
図１に示すように、本発明が一実施形態に係る有機発光表示装置の画素配列構造は、複数の第１画素１００、複数の第２画素２００、及び複数の第３画素３００を含む。
ここで、画素（ｐｉｘｅｌ）とは、イメージを表示する最小単位を意味する。
第１画素１００、第２画素２００、及び第３画素３００の間には、各画素を駆動するためのゲートライン、データライン、駆動電源ラインなどの電源ライン、及び各画素を定義するための画素定義膜などの絶縁層などを配置することができ、第１画素１００、第２画素２００、及び第３画素３００それぞれに対応してアノード電極、有機発光層、及びカソード電極を含む有機発光素子（ｏｒｇａｎｉｃ  ｌｉｇｈｔ  ｅｍｉｔｔｉｎｇ  ｄｉｏｄｅ）を配置することができる。これら構成は従来公知の技術であるため、説明の便宜上説明せず、各画素の形態は複数の電源ライン、画素定義膜またはアノード電極などによって定義されるが、これに限定されない。
【００１８】
第１画素１００は、隣接する第２画素２００及び第３画素に比べて小さい面積を有しており、多角形状を有している。第１画素１００は多角形状のうちの八角形状を有しているが、これに限定されず、三角形、四角形、五角形、六角形、七角形などの多角形状を有することができる。第１画素１００は複数であり、複数の第１画素１００のうちの隣接する第１画素１００それぞれは、互いに対称の八角形状を有している。一方、複数の第１画素１００それぞれは互いに同一の八角形状を有することができる。複数の第１画素１００それぞれは、相互離隔して仮想の第１直線ＶＬ１上に配列されている。第１画素１００は緑色の光を発光し、緑色の光を発光する有機発光層を含むことができる。一方、第１画素１００は、青色、赤色または白色などの多様な色の光を発光する有機発光層を含み、青色、赤色または白色の光を発光することができる。
【００１９】
第１画素１００の中心点を正四角形の中心点とする仮想の正四角形ＶＳの第１頂点Ｐ１に第２画素２００が位置しており、仮想の正四角形ＶＳの第２頂点Ｐ２に第３画素３００が位置している。
第２画素２００は、第１画素１００と離隔しており、仮想の正四角形ＶＳの第１頂点Ｐ１に中心点が位置している。第２画素２００は、隣接する第１画素１００及び第３画素３００それぞれに比べてさらに大きい面積を有しており、多角形状のうちの六角形状を有している。一方、第２画素２００は、三角形、四角形、五角形、七角形、八角形などの多角形状を有することができる。第２画素２００は複数であり、複数の第２画素２００それぞれは互いに同一の六角形状を有している。複数の第２画素２００は第１画素１００を介在して相互離隔している。第２画素２００は青色の光を発光し、青色の光を発光する有機発光層を含むことができる。一方、第２画素２００は、赤色、緑色または白色などの多様な色の光を発光する有機発光層を含み、赤色、緑色または白色の光を発光することができる。
【００２０】
第３画素３００は、第１画素１００及び第２画素２００と離隔しており、仮想の正四角形ＶＳの第１頂点Ｐ１と隣接する第２頂点Ｐ２に中心点が位置している。第３画素３００は、隣接する第１画素１００に比べてさらに大きい面積を有していると同時に、隣接する第２画素２００に比べてさらに小さい面積を有している。第３画素３００は、多角形状のうちの四角形状を有している。一方、第３画素３００は、三角形、五角形、六角形、七角形、八角形などの多角形状を有することができる。第３画素３００は複数であり、複数の第３画素３００それぞれは互いに同一の四角形状を有している。複数の第３画素３００は第１画素１００を介在して相互離隔している。第３画素３００は赤色の光を発光し、赤色の光を発光する有機発光層を含むことができる。一方、第３画素３００は、青色、緑色または白色などの多様な色の光を発光する有機発光層を含み、青色、緑色または白色の光を発光することができる。
【００２１】
一方、第２画素２００及び第３画素３００それぞれは六角形状及び四角形状を有するが、第２画素２００及び第３画素３００それぞれは四角形状及び六角形状それぞれを有することができる。つまり、第２画素２００及び第３画素３００のいずれか一つは六角形状を有し、他の一つは四角形状を有することができる。
【００２２】
また、第１画素１００、第２画素２００、第３画素３００それぞれは、緑色、青色、赤色それぞれの光を発光するが、第１画素１００、第２画素２００、第３画素３００それぞれは、互いに異なる色の光を発光するか、または互いに同一の色の光を発光することができる。具体的に、第１画素１００は緑色の光を発光し、第２画素２００及び第３画素３００のいずれか一つは青色の光を発光し、他の一つは赤色の光を発光することができる。
【００２３】
複数の第３画素３００及び複数の第２画素２００それぞれは、仮想の第２直線ＶＬ２上で相互交互的に配列され、これによって第１頂点Ｐ１に中心点が位置する複数の第２画素２００、及び第２頂点Ｐ２に中心点が位置する複数の第３画素３００それぞれは、仮想の正四角形ＶＳ上で第１画素１００を取り囲んでいる。
【００２４】
このように、第１画素１００の中心点を正四角形の中心点とする仮想の正四角形ＶＳの第１頂点Ｐ１に第２画素２００の中心点が位置し、第２頂点Ｐ２に第３画素３００の中心点が位置することによって、第１頂点Ｐ１に中心点が位置する複数の第２画素２００及び第２頂点Ｐ２に中心点が位置する複数の第３画素３００それぞれが、仮想の正四角形ＶＳ上で第１画素１００を取り囲んでいると同時に、第１画素１００、第２画素２００、及び第３画素３００それぞれが多角形状を有しているので、第１画素１００と第２画素２００の間の距離及び第１画素１００と第３画素３００画素の間の距離それぞれは、同一の第１長さＬ１を有し、隣接する第２画素２００と第３画素３００の間の距離は、第１長さＬ１とは異なる第２長さＬ２を有し、隣接する第１画素１００の間の距離は、第１長さＬ１及び第２長さＬ２それぞれに比べて長い第３長さＬ３を有するようになる。
【００２５】
一例として、第１長さＬ１は、１５ｕｍ乃至３５ｕｍであってもよく、第２長さＬ２は、２０ｕｍ乃至４５ｕｍであってもよく、第３長さＬ３は、２５ｕｍ乃至６５ｕｍであってもよい。
【００２６】
これによって、第１画素１００と第２画素２００の間及び第１画素１００と第３画素３００それぞれの間には、第１長さＬ１のギャップが形成されると同時に、隣接する第１画素１００の間には、第１長さＬ１に比べて長い第３長さＬ３のギャップが形成されることによって、第１画素１００、第２画素２００、及び第３画素３００それぞれに含まれている緑色の有機発光層、青色の有機発光層、及び赤色の有機発光層それぞれを形成するファインメタルマスクを利用した蒸着工程時、蒸着信頼度が向上する。
【００２７】
また、複数の第２画素２００及び複数の第３画素３００それぞれが第１画素１００を仮想の正四角形ＶＳ上で取り囲むように配列されることによって、第１画素１００、第２画素２００、及び第３画素３００それぞれの開口率を向上させることができる。これは、全体的な有機発光表示装置の製造時間及び製造費用を節減すると同時に、有機発光表示装置が表示するイメージの品質を向上させる要因として作用する。
【００２８】
また、本発明の一実施形態に係る有機発光表示装置の画素配列構造は、第１画素１００、第２画素２００、及び第３画素３００のうちの他の画素に比べて、寿命が短い青色の光を発光する第２画素２００が、第１画素１００及び第３画素３００それぞれに比べて大きい面積を有することによって、全体的な有機発光表示装置の寿命の低下が抑えられる。つまり、寿命が向上した有機発光表示装置の画素配列構造が提供される。
【００２９】
上述のように、本発明の一実施形態に係る有機発光表示装置の画素配列構造は、第１画素１００、第２画素２００、及び第３画素３００それぞれが、単純に八角形、六角形、及び四角形それぞれなどの多角形状を有することではなく、有機発光表示装置の固有の製造特性である有機発光層の蒸着工程を考慮して、ファインメタルマスクを利用した蒸着工程時、有機発光層の蒸着信頼度を向上させると同時に、第１画素１００、第２画素２００、及び第３画素３００それぞれの開口率を向上させるために、仮想の正四角形ＶＳの中心点に第１画素１００の中心点を位置させ、第１頂点Ｐ１に第２画素２００の中心点を位置させ、第２頂点Ｐ２に第３画素３００の中心点を位置させることである。
【００３０】
つまり、有機発光層の蒸着信頼度を向上させると同時に、第１画素１００、第２画素２００、及び第３画素３００それぞれの開口率を向上させる八角形の第１画素１００、六角形の第２画素２００、及び四角形の第３画素３００を含む有機発光表示装置の画素配列構造が提供される。
【００３１】
以上、本発明について上述した好ましい実施形態を通じて説明したが、本発明はこれに限定されず、次に記載する特許請求の範囲の概念と範囲を逸脱しない限り、多様な修正及び変形が可能であることを、本発明が属する技術分野における者であれば、簡単に理解できる。
【符号の説明】
【００３２】
１００  第１画素
２００  第２画素
３００  第３画素
【図１】
2020205260.tif 000003